(57)【特許請求の範囲】
【請求項１】
レンズ鏡筒前面に有るレンズと、
上記レンズの前面に位置し、上記レンズ光軸に垂直な平面内で移動して上記レンズを覆う閉じ位置と上記レンズ前面から待避した開位置とに移動するバリアと、
上記バリアを上記開閉駆動するため上記レンズに嵌合して回転する駆動部材と、
を有することを特徴とするバリア装置。
【請求項２】
上記請求項１のバリア装置の上記レンズはその光軸方向に移動可能であることを特徴とするバリア装置。
【発明の詳細な説明】
【０００１】
【発明の属する技術分野】
本発明は、レンズ鏡筒の前面にあるレンズを覆う閉位置と上記レンズ前面から退避した開位置とに移動可能なバリアを有するバリア装置に関する。
【０００２】
【従来の技術】
従来、レンズ鏡筒の不使用状態でレンズの開口を覆うことにより、埃の侵入や指等の接触による汚れ、物との接触による傷等からレンズを保護し、また、使用状態ではレンズ前面から退避して開口状態とするバリア（バリア羽根）が組み込まれたレンズ鏡筒に関して、例えば、特開平５−１９３３１号公報に開示されたものがある。
【０００３】
【発明が解決しようとする課題】
上記特開平５−１９３３１号公報に開示されたレンズ鏡筒においては、バリアは、回転リングにより駆動されるが、その回転リングが外側のレンズ枠内周に嵌合して配設されており、結果的に大きなスペースを必要としている。また、バリアが故障した場合、上記回転リングがレンズ枠の後方に収納されているために回転リングの交換作業が困難であった。
【０００４】
さらにバリアを開閉するための回動ピンがレンズ枠を貫通しており、その回動ピンを駆動する回動リングがレンズ枠の後方に配設されていることからレンズ枠の構造が複雑になっている。また、上記バリアの回動ピンの倒れ等が発生しないようにするためにできるだけバリアと回転リングとを接近させる必要があるが、そのような配置をとるとレンズ枠の外側の取り付け部が肉薄になってしまう。取り付け部を薄肉にすると、レンズ枠の強度が不足し、レンズの所定の性能が得られなくなるなどの不具合が生じる。
【０００５】
本発明は、上述の問題を解決するためになされたものであり、バリアおよびバリア駆動部の構造が簡単で占有スペースも小さく、バリアが組み込まれるレンズ鏡筒の小型化が可能であり、バリアの交換も簡単に行えるバリア装置を提供することを目的とする。
【０００６】
【課題を解決するための手段】
本発明の第１のバリア装置は、レンズ鏡筒前面に有るレンズと、上記レンズの前面に位置し、上記レンズ光軸に垂直な平面内で移動して上記レンズを覆う閉じ位置と上記レンズ前面から待避した開位置とに移動するバリアと、上記バリアを上記開閉駆動するため上記レンズに嵌合して回転する駆動部材と、を有することを特徴とする。
【０００８】
本発明の第２のバリア装置は、上記第１のバリア装置において、上記レンズは、その光軸方向に移動可能である。
【０００９】
【発明の実施の形態】
以下、図を用いて本発明の実施の形態について説明する。
図１は、本発明の第１の実施形態を示すバリア装置が組み込まれたレンズ鏡筒の分解斜視図である。図２は、上記レンズ鏡筒の縦断面図であり、図３は、図２のＡ−Ａ断面図である。なお、以下の説明において、各部材の光軸に沿う進退方向としては、被写体側である鏡筒前カバー側方向を前方向とし、結像側方向を後方とする。また、各部材の回転方向は、前面側（鏡筒前カバー側）からみた回転方向で示す。
【００１０】
上記第１の実施形態のバリア装置を有するレンズ鏡筒１は、撮影レンズを構成し、被写体側から結像側に向けて順次配設される第１レンズ３Ａ，第２レンズ３Ｂ，第３レンズ３Ｃと、上記各レンズを保持し、レンズ光軸に沿って進退駆動される移動枠２と、レンズの押さえ部材である押さえ環４と、バリア回転駆動用の駆動部材である駆動環７と、バリアを支持するフランジ状部材であるバリア支持枠５と、鏡筒前カバー６と、レンズ前面開閉用の上下２枚の薄板状バリア羽根であるバリア８，１０と、図示しない固定枠に保持され、駆動環駆動ピン１６を支持するピン支持板１５と、上記移動枠２を進退駆動する駆動機構部（図示せず）等を有してなる。
【００１１】
上記第２レンズ３Ｂと第３レンズ３Ｃは、移動枠２に接着、また、カシメで固着される。そして、第１レンズ３Ａは、移動枠２にその外径部が嵌入され、上記押さえ環４により押さえ付けられて保持される。
【００１２】
上記移動枠２には、上記第１レンズ３Ａが嵌入する開口部を有するフランジ部２ｃと、上記フランジ部２ｃの裏側（後側）に斜面部２ｆが設けられている。また、上記フランジ部２ｃには、押さえ環脚部挿通用の挿通穴２ａと、駆動環カム部挿通用の挿通穴２ｂと、バネ懸架用ピン２ｇが設けられており、上記フランジ部２ｃの外周部にはバリア保持枠、および、鏡筒カバーが嵌入し装着される２つの段部２ｄ，２ｅが設けられている。
【００１３】
上記押さえ環４には、第１レンズ３Ａのための開口４ａをもつ円環部４ｅと、外周面４ｂと、先端に爪部４ｃが設けられ、光軸Ｏ方向後方に向けて突出する３つの脚部４ｄとが設けられている。
【００１４】
この押さえ環４は、上記脚部４ｄを移動枠２の挿通穴２ａを挿通させ、爪部４ｃを移動枠２の斜面部２ｆに係合させて移動枠２に装着される。その装着状態で第１レンズ３Ａが円環部４ｂで移動枠２側に押圧されて保持される。なお、爪部４ｃは、移動枠２の斜面部２ｆに接着により固定され、押さえ環４が回転しないようになっている。
【００１５】
上記駆動環７には、上記押さえ環４の外周面４ｂに回転可能に嵌入する内周面７ａをもつ円環部７ｅと、２つのバリア駆動ピン７ｂと、光軸Ｏ方向の後方に向けて突出するカム部７ｃと、バネ懸架用支持突起７ｄとが設けられている。
【００１６】
この駆動環７は、上記押さえ環４の外周面４ｂにその内周面７ａを回転自在に嵌入させて取り付ける。また、駆動環付勢バネ１２が上記バネ懸架用突起７ｄと移動枠２のバネ懸架用ピン２ｇに懸架されており、駆動環７を時計回りに付勢している。その取り付け状態でカム部７ｃは移動枠２の挿通穴２ｂを挿通しており、駆動環駆動ピン１６に当接可能な状態である。一方、、バリア駆動ピン７ｂはバリア支持枠５の長穴５ｆを挿通してバリア支持枠５の前面に突出し、バリア８，１０の底面に当接可能になっている。
【００１７】
上記バリア支持枠５には、そのフランジ状円板部に第１レンズ３Ａのためのレンズ開口５ａと、バリア８，１０が回転自在に嵌入するボス状のバリア支持ピン５ｂと、バリア８，１０の閉位置ストッパ５ｃと、バリアバネ９，１１を装着するバネ取り付けピン５ｄと、バリアバネ９，１１の一端が当接するバネ当接ピン５ｅと、バリア駆動ピン７ｂが挿通する長穴５ｆとが設けられている。なお、上記ピン５ｂ，ストッパ５ｃ，バネ支持ピン５ｄ，バネ当接ピン５ｅ，長穴５ｆは、それぞれ左右点対称位置に一対設けられる。
【００１８】
このバリア支持枠５は、駆動環７のバリア駆動ピン７ｂを長穴５ｆに挿通した状態とし、移動枠２の段部２ｄに嵌合させ、固着して取り付けられる。その取り付け状態で移動枠２のフランジ部２ｃの前面とバリア支持枠５の後側内面により駆動環７を狭持し、光軸Ｏ方向を規制して保持する。
【００１９】
上記バリア８，１０は、バリア支持枠５のレンズ開口５ａを開閉可能な薄板部材であって、それぞれ支持穴８ａ，１０ａと、バネ当接部８ｂ，１０ｂと、バリア支持枠５のストッパ５ｃと当接可能な切り欠き８ｃ，１０ｃとが設けられている。
【００２０】
このバリア８，１０は、それぞれバリア支持枠５のバリア支持ピン５ｂに支持穴８ａ，１０ａを嵌入させ、光軸Ｏとの直交平面内で回転可能な状態で取り付けられる。また、バリア支持枠５のバネ支持ピン５ｄに装着されたトーションバネのバリア付勢バネ９，１１の一端をバリア８，１０のバネ当接部８ｂ，１０ｂに当接させ、バリア８，１０をそれぞれ閉位置方向である時計回りに付勢している。
【００２１】
なお、バリア８，１０に対して作用する回転付勢トルクとして、バリア駆動ピン７ｂを介して作用する駆動環付勢バネ１２によるバリア開方向の反時計回りの付勢トルクは、バリア付勢バネ９，１１による時計回りの付勢トルクよりも大きいものとする。したがって、バリア８，１０は、駆動環７の回転に従動して回転駆動されることになる。
【００２２】
上記鏡筒前カバー６は、中央部にレンズ開口６ａを有しており、移動枠２の段部２ｅに嵌入させた状態で固着して取り付けられ、上記バリア８，１０、および、バリア付勢バネ９，１１を上記バリア支持枠５とで狭持することにより光軸Ｏ方向を規制した状態で保持する。
【００２３】
以上のように構成された本実施形態のレンズ鏡筒１の移動枠２の進退動作に伴うバリアの開閉駆動について、図３，４等を用いて説明する。なお、図３は、図２のＡ−Ａ断面を示すバリア開閉動作図であり、図４は、駆動環駆動ピンによる駆動環のカム部の従動状態を示す側面図である。
【００２４】
レンズ鏡筒１が収納状態にあるときは、移動枠２が後方の収納位置に繰り込まれている。この状態では、駆動環７も同様に繰り込まれ、図４に示すようにカム部７ｃが駆動環駆動ピン１６に当接しており、駆動環７は、バリアを閉鎖する位置に反時計回りに回転している。すなわち、図３に示すように駆動環７の反時計回りの回転によりバリア駆動ピン７ｂがバリア８，１０の底辺面からわずかに離れるので、バリア８，１０は、バリアバネ９，１１の付勢力で時計回りに回転して切り欠き８ｃ，１０ｃがバリア支持枠５のストッパ５ｃに当接し、レンズ開口５ａを覆う閉位置（遮蔽位置）Ｐ8A，Ｐ10A にある。
【００２５】
レンズ鏡筒１を撮影可能状態にセットするには移動枠２を前方に繰り出す。その繰り出し動作に伴って図４に示すように駆動環７のカム部７ｃも前方に移動して駆動環駆動ピン１６と離れるので、駆動環７が駆動環付勢バネ１２の付勢力により押さえ環４の外周で時計回りに回転し、バリア駆動ピン７ｂがバリア支持枠５の長穴５ｆの端部に当接する。その回転動作により駆動環７のバリア駆動ピン７ｂがバリア付勢バネ９，１１の付勢力に抗してバリア８，１０の底辺面を押圧し、バリア８，１０は、開放方向である反時計回りに駆動される。そして、第１レンズ３Ｃ前面より退避した開位置（非遮蔽位置）Ｐ8B，Ｐ10B まで回転する。この状態でレンズ鏡筒１は、撮影可能状態にセットされる。
【００２６】
レンズ鏡筒１を再度収納状態にする場合は、移動枠２を後方に向けて収納位置まで繰り込ませる。この繰り込み動作で駆動環駆動ピン１６により駆動環７が反時計回りの回転駆動され、バリア８，１０は、バリア駆動ピン７ｂの押圧から解放されるので、バリア付勢バネ９，１１の付勢力により図３に示す閉位置Ｐ8A，Ｐ10A まで回転する。
【００２７】
上述した第１の実施形態のレンズ鏡筒１のバリア装置によると、移動枠２の進退移動に連動してバリア８，１０を自動的にレンズ前面を覆う閉位置と、退避した開位置に駆動させることができ、使い勝手がよくなる。
【００２８】
また、上記レンズ鏡筒１ではバリア支持枠５のフランジの肉厚を薄くして駆動環７のバリア駆動ピン７ｂを短くすることができるのでバリア駆動ピン７ｂの倒れや変形が生じることがなく、バリアの高精度の開閉動作が得られる。
【００２９】
上述のようにバリア装置の各部材を光軸Ｏ方向最小スペースに収納できる。また、光軸Ｏ直交方向についても図２に示すように第１レンズ３Ａ前面の極めて近傍にバリア支持枠５のレンズ開口５ａを設けていることからバリア装置の光軸Ｏと直交方向の配設スペースを小さくできる。
【００３０】
図５の光路図は、フィルム面１９に対して最前に配置される第１レンズ３Ａを通る撮影光の光路を示している。バリアは、上記撮影光のうち、もっとも外側の撮影光Ｌ0 を蹴ることがないように退避させる必要がある。したがって、上述のように上記レンズ開口５ａが第１レンズ３Ａに極めて近い位置にあるときのバリア８，１０の開口幅Ｄ1 は、上記レンズ開口がより遠い位置にあるときのバリア８′，１０′の開口幅Ｄ2 より狭くなることから、上述したようにバリア８，１０を適用したバリア装置は、光軸Ｏと直交方向の配設スペースが小さくなるといえる。
【００３１】
このように光軸Ｏ方向とともに光軸Ｏと直交する方向に関してもバリア装置の占有スペースを小さくしてレンズ鏡筒１のコンパクト化や小型化が実現できる。
【００３２】
さらに、駆動環７はその摺動嵌合部が押さえ環４の外径部であるため小型形状にすることが可能である。同時に上記摺動嵌合部が小さい径で嵌合しているために駆動環７の摩擦負荷も小さくてすみ、スムーズな動作が得られる。
【００３３】
上記押さえ環４は、移動枠２のフランジ部２ｃを貫通して延びた脚部４ｄの爪４ｃで移動枠２に係合させ、その係合部を接着固定するので、塗布した接着剤が駆動環７の嵌合面にまわって動作不良状態を引き起こすことがない。
【００３４】
さらには上記バリア機構は、バリア等主要構成部材が移動枠２より前方にあるのでバリア等の構成部材を故障して取り換える場合は極めて簡単に取り換えができる。
【００３５】
上記第１の実施形態のレンズ鏡筒１の押さえ環４は、駆動環７が回転可能に嵌入する外周面が単なる全円周面で形成されていたが、その変形例として図６の斜視図に示す押さえ環を提案できる。
【００３６】
上記変形例の押さえ環１８には、駆動環７が回転可能に嵌入する外周面として円周軌跡を与える３ヶ所の凸状嵌合部１８ｂが設けられている。その他は、押さえ環４と同様に開口１８ａをもつ円環部１８ｅと、光軸Ｏ方向の後方に向けて突出し、爪部１８ｃをもつ３つの脚部１８ｄ等が設けられている。
【００３７】
この変形例の押さえ環１８を適用した場合、押さえ環１８の駆動環との嵌合部を３つの凸状嵌合部１８ｂにしたことから押さえ環を樹脂成形により製作する場合に駆動環７との嵌合ガタを金型上で簡単に調整でき、嵌合精度を向上させることができる。したがって、駆動環７がガタの少ない状態で押さえ環１８に回転可能に嵌合させ、精度のよいバリアの開閉動作が得られる。また、３つの凸状嵌合部１８ｂを設ける位置に押さえ環１８の脚部１８ｄが配置されているので駆動環７から負荷を受けても押さえ環１８のねじれ発生が少なく、また、爪部１８ｃでの接着剤の剥がれもなくなる。
【００３８】
次に、本発明の第２の実施形態のバリア装置が組み込まれたレンズ鏡筒について、図７のレンズ鏡筒の縦断面図を用いて説明する。
図７に示すように上記レンズ鏡筒２１は、被写体側から結像側に順次配設される第１レンズ３Ａ′，第２レンズ３Ｂ，第３レンズ３Ｃと、上記各レンズを保持し、レンズ光軸に沿って進退駆動される移動枠２と、バリア回転駆動用の駆動部材である駆動環２２と、バリアを支持するフランジ状部材であるバリア支持枠２３と、鏡筒前カバー６と、レンズ前面開閉用の上下２枚の薄板羽根状のバリア８，１０と、固定枠（図示せず）に保持され、駆動環駆動ピン１６を支持するピン支持板１５（図示せず）と、上記移動枠２を進退駆動する駆動機構部（図示せず）等を有してなる。なお、上記第２，第３レンズ，３Ｂ，３Ｃと、移動枠２と、バリア８，１０と、鏡筒前カバー６は、前記第１の実施形態に適用した部材と同一部材とする。
【００３９】
上記第１レンズ３Ａ′は、移動枠２の前面部に接着等により固着される。そして、第１レンズ３Ａ′の前面側露呈部分には駆動環２２が回転可能に嵌入する外周面３Ａａ′が設けられている。
【００４０】
上記駆動環２２は、第１レンズ３Ａ′の外周面３Ａ′ａに回転可能に嵌入する内周面２２ａを有する。その他は、前記駆動環７と同一形状とする。
【００４１】
上記バリア支持枠２３は、レンズ開口部２３ａを設けるバリア取り付け用の凸平面部２２ｇと駆動環押さえ平面部２３ｈを有している。その他、バリア支持ピンやバネ支持ピン等は、前記バリア支持枠５と同様に設けられている。
【００４２】
上記駆動環２２は、第１レンズ３Ａ′の外周面３Ａ′ａに回転可能に嵌入し、バリア支持枠２３の駆動環押さえ面２３ｈで光軸Ｏ方向が規制されて摺動自在に保持されている。
【００４３】
以上のような構成を有する本実施形態のレンズ鏡筒２１における移動枠２の進退動作に伴うバリアの開閉動作は、前記第１の実施形態のレンズ鏡筒１の場合と同様であり、移動枠２の進退駆動に伴ってバリア８，１０の開閉駆動は行われる。
【００４４】
上述した第２実施形態のレンズ鏡筒２１のバリア装置によれば、前記第１の実施形態の場合と同様の効果を奏し、特にレンズを移動枠２に押さつけるための専用の押さえ環４を必要としないためにバリア８，１０を第１レンズ３Ａ′の極めて近い位置に配置可能となり、同時に駆動環２２の外径も小さくすることができる。したがって、バリア装置の光軸Ｏ方向、および、光軸Ｏと直交する方向の占有スペースを減らし、レンズ鏡筒のさらなるコンパクト化が可能になり、また、組み立ても容易になる。
【００４５】
上述した本発明の実施の形態により、
（１）レンズ光軸に垂直な面内でレンズ枠に対し移動自在にレンズ枠前部に設けられ、レンズの開口を遮蔽する開口遮蔽位置と開口を遮蔽しない開口非遮蔽位置に移動可能なバリア羽根と、
少なくとも最前面のレンズ玉をレンズ枠に固定保持する押さえ環と、
上記押え環の外周に嵌合し、レンズ光軸周りに回転することにより、外バリア羽根を上記開口遮蔽位置と上記開口非遮蔽位置に移動させる駆動環と、
からなることを特徴とするバリア装置を提案することができる。
【００４６】
（２）  上記押さえ環は、レンズ枠前面のフランジ部に設けられた切り欠きを貫通して該フランジ部の後ろに設けられた係合部に係合する脚部を持つことを特徴とする上記（１）項記載のバリア装置を提案することができる。
【００４７】
（３）押さえ環の駆動環との嵌合部は、複数箇所の凸面で形成されていることを特徴とする上記（１）項記載のバリア装置を提案することができる。
【００４８】
（４）レンズ光軸に垂直な面内でレンズ枠に対し移動自在にレンズ枠前部に設けられ、レンズの開口を遮蔽する開口遮蔽位置と開口を遮蔽しない開口非遮蔽位置に退避可能なバリア羽根と、
少なくとも最前面に配置され、外周に嵌合部を持ち、レンズ枠に固定されたレンズと、
該レンズの嵌合部に嵌合し、レンズ光軸周りに回転することにより、該バリア羽根を上記開口遮蔽位置と開口非遮蔽位置に移動させる駆動環と、
からなることを特徴とするバリア装置を提案することができる。
【００４９】
（５）  上記バリア羽根は、上記レンズ枠前部に固定されたフランジ状部材に設けられたボスに回転自在に嵌合し、バネ部材により、上記バリア羽根が開口遮蔽位置もしくは開口非遮蔽位置に移動するように付勢されていることを特徴とする上記（１）、または、（２）項に記載のバリア装置を提案することができる。
【００５０】
【発明の効果】
上述のように本発明によれば、バリアおよびバリア駆動部の構造が簡単で占有スペースも小さく、バリアが組み込まれるレンズ鏡筒の小型化が可能であり、しかも、バリアの交換も簡単に行えるバリア装置を提供することができる。
【図面の簡単な説明】
【図１】本発明の第１の実施形態であるバリア装置が組み込まれたレンズ鏡筒の分解斜視図。
【図２】上記第１の実施形態のレンズ鏡筒の縦断面図。
【図３】図２のＡ−Ａ断面図であって、バリアの開閉動作状態を示す。
【図４】上記第１の実施形態のレンズ鏡筒に適用される駆動環のカム部の駆動環駆動ピンとの従動状態を示す側面図。
【図５】上記第１の実施形態のレンズ鏡筒における撮影光の光路図。
【図６】上記第１の実施形態のレンズ鏡筒に適用される押さえ環の変形例の斜視図。
【図７】本発明の第２の実施形態のバリア装置が組み込まれたレンズ鏡筒の縦断面図。
【符号の説明】
３Ａ，３Ａ′……第１レンズ
（レンズ鏡筒前面にあるレンズ）
４，１８  ……押さえ環（押さえ部材）
７，２２  ……駆動環（駆動部材）
８，１０  ……バリア
Ｐ8A，Ｐ10A ……バリア閉位置
（レンズを覆う閉じ位置）
Ｐ8B，Ｐ10B ……バリア開位置
（レンズから退避した開位置）
【図１】
0004468556.tif 000002
【図２】
0004468556.tif 000003
【図３】
0004468556.tif 000004
【図４】
0004468556.tif 000005
【図５】
0004468556.tif 000006
【図６】
0004468556.tif 000007
【図７】
0004468556.tif 000008